(57)【要約】  【課題】  吸気口から吸気する外気を余熱することができ、この余熱された空気をファンにて吸気し、温風として送出口から収容槽内へ送出することができる食器乾燥機を提供する。  【解決手段】  食器が収容される収容槽２と、該収容槽２内の温度を上昇させるヒータ４と、該ヒータ４と離隔して配され、前記収容槽２内に外気を送出するファン５と、該ファン５が前記収容槽２の外部から吸気する吸気口１５ａと、前記ファン５が収容槽２内へ送出する送出口１４ａとを備えており、前記吸気口１５ａを前記ヒータ４の近傍に配置し、吸気口１５ａから吸気する外気を余熱するようにした。【選択図】      図３
2006075440.tif 000002
【特許請求の範囲】
【請求項１】
食器が収容される収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器乾燥機において、前記吸気口は、前記ヒータの近傍に配されていることを特徴とする食器乾燥機。
【請求項２】
前記吸気口の近傍に、該吸気口に吸気される空気の温度を検出するセンサを配してある請求項１記載の食器乾燥機。
【請求項３】
前記ヒータは前記収容槽内の底部付近に取付けられており、前記送出口は前記ヒータの取付部近傍に配してある請求項１記載の食器乾燥機。
【請求項４】
通気孔を有し、前記ヒータを被覆するヒータカバーを備えており、前記送出口は前記ヒータカバーの内側に開口している請求項１記載の食器乾燥機。
【請求項５】
通気孔を有し、前記ヒータを被覆するヒータカバーを備えており、前記送出口は前記ヒータカバーの内側及び外側に開口している請求項１記載の食器乾燥機。
【請求項６】
前記ファン及び前記送出口に連なる送出路を有しており、該送出路に、送出路の空気流を整流する整流リブを有する請求項１記載の食器乾燥機。
【請求項７】
前記送出口は複数である請求項１記載の食器乾燥機。
【請求項８】
前記ファンは前記収容槽の底側隅部の近傍に配してある請求項１記載の食器乾燥機。
【請求項９】
前記ファン及び前記吸気口に連なる吸気路と、前記ファン及び前記送出口に連なる送出路とを有しており、前記ファンは前記吸気路及び前記送出路の最下面より高い位置に配してある請求項１記載の食器乾燥機。
【請求項１０】
前記ファンは、送風経路の途上に設けられており、前記ファンを覆うケーシングは前記吸気路の一部を兼ねている請求項１記載の食器乾燥機。
【請求項１１】
内部に水が噴射される収容槽内の底部に配され、該収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器洗い乾燥機において、前記吸気口は、前記ヒータの近傍に配されており、前記ファン及び前記送出口に連なる送出路と、該送出路の途中で前記収容槽内の底部に開口する貫通孔とを有することを特徴とする食器洗い乾燥機。
【請求項１２】
内部に水が噴射される収容槽内の底部に配され、該収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器洗い乾燥機において、前記吸気口は、前記ヒータの近傍に配されており、前記収容槽内に開口する給水路と、前記ファン及び前記送出口に連なる送出路と、該送出路の途中で前記給水路に開口する貫通孔とを有することを特徴とする食器洗い乾燥機。
【発明の詳細な説明】
【技術分野】
【０００１】
本発明は収容槽内の温度を上昇させるヒータ及び収容槽内に外気を送出するファンを備える食器乾燥機、及び内部に水が噴射される収容槽内の温度を上昇させるヒータ及び収容槽内に外気を送出するファンを備える食器洗い乾燥機に関する。
【背景技術】
【０００２】
図１２は従来の食器乾燥機の構成を示す模式的縦断側面図である。食器Ａの洗浄を可能とした食器乾燥機は、食器Ａが収容される収容槽１００内に、該収容槽１００内の温度を上昇させるヒータ１０１と、収容槽１００内に外気を送出するファン１０２とを備えており、該ファン１０２が送出した収容槽１００内の空気を、収容槽１００の蓋体１０３に設けられた排気口１０４から外部に排気することにより洗浄及び乾燥過程中に収容槽１００内を換気することができるように構成されている（図１２参照）。この場合、収容槽１００内に比べて温度の低い外気が収容槽１００内に供給され、収容槽１００内で暖められている食器Ａが冷却され、食器Ａが乾燥しにくくなるため、乾燥過程時に前記ヒータ１０１に通電して収容槽１００内の温度を上昇させ、食器Ａを保温するように構成されている。
【０００３】
また、前記ファンの近傍に、該ファンが吸気する外気を余熱するための補助ヒータを前記ヒータと別個に設けた食器乾燥機も知られている（例えば、特許文献１）。
【特許文献１】特開平６−２２８９４号公報
【発明の開示】
【発明が解決しようとする課題】
【０００４】
しかしながら、収容槽内のヒータに通電して収容槽内の温度を上昇させるように構成された食器乾燥機にあっては、ファンにより送出された空気とヒータにより加熱された空気とが十分に混合されず、収容槽内に温度むらが生じるため、収容槽内の食器が部分的に冷却され、乾燥遅れが発生するという問題があった。
【０００５】
また、特許文献１の食器乾燥機にあっては、収容槽内のヒータとは別個に余熱専用の補助ヒータが必要であるため、食器乾燥機のコストが高くなり、また、補助ヒータの消費電力が追加されるため、省エネルギーに反することになるという問題があった。
【０００６】
本発明は斯かる事情に鑑みてなされたものであり、主たる目的はファンが収容槽の外部から吸気する吸気口をヒータの近傍に配することにより、吸気口から吸気する外気を余熱することができ、この余熱された空気をファンにて吸気し、温風として送出口から収容槽内へ送出することができる食器乾燥機を提供することにある。
【０００７】
また、他の目的は吸気口に吸気される空気の温度を検出するセンサを吸気口の近傍に配することにより、センサが検出した吸気温度に基づいてヒータによる温度制御を行うことが可能な食器乾燥機を提供することにある。
【０００８】
また、他の目的はヒータの取付部近傍に送出口を配することにより、送出口から送出する空気をヒータの取付部で効率よく熱交換することができる食器乾燥機を提供することにある。
【０００９】
また、他の目的はヒータを被覆するヒータカバーの内側に送出口を開口させることにより、送出口から送出する空気をヒータで効率よく熱交換することができる食器乾燥機を提供することにある。
【００１０】
また、他の目的はヒータカバーの内側及び外側に送出口を開口させることにより、ヒータカバーの内側に送出された空気がヒータと十分な熱交換が行なわれていない場合でも、ヒータカバーの外側に送出された空気を、ヒータカバー近傍の余熱された空気と熱交換することができる食器乾燥機を提供することにある。
【００１１】
また、他の目的は送出路に、送出路の空気流を整流する整流リブを設けることにより、ファンにより発生する空気流を整流して送出することができる食器乾燥機を提供することにある。
【００１２】
また、他の目的は送出口を複数設けることにより、ヒータとの熱交換を均一的に行うことが可能な食器乾燥機を提供することにある。
【００１３】
また、他の目的は収容槽の底側隅部の近傍にファンを配することにより、吸気口からファンまでの吸気路が比較的長い場合でも、送風損失の軽減が可能な食器乾燥機を提供することにある。
【００１４】
また、他の目的は吸気路又は送出路の最下面より高い位置にファンを配することにより、吸気路の壁面で結露水が滴下する場合においても、滴下した結露水がファンに浸入するのを低減できる食器乾燥機を提供することにある。
【００１５】
また、他の目的はファンを覆うケーシングが吸気路の一部を兼ねる構成とすることにより、部品点数を低減することができる食器乾燥機を提供することにある。
【００１６】
また、他の目的はファン及び送出口に連なる送出路の途中で収容槽内の底部に開口する貫通孔を設けることにより、送出路に付着する汚物を食器洗い時に洗い流すことが可能であり、また、食器洗い過程時に吸気口近傍の外気を余熱することが可能な食器洗い乾燥機を提供することにある。
【００１７】
また、他の目的はファン及び送出口に連なる送出路の途中で給水路に開口する貫通孔を設けることにより、送出路に付着する汚物を食器洗い時に洗い流すことが可能であり、また、食器洗い過程時に吸気口近傍の外気を余熱することが可能な食器洗い乾燥機を提供することにある。
【課題を解決するための手段】
【００１８】
本発明に係る食器乾燥機は、食器が収容される収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器乾燥機において、前記吸気口は、前記ヒータの近傍に配されていることを特徴とする。
【００１９】
この発明にあっては、収容槽におけるヒータの近傍は、該ヒータにより加熱されるため、ヒータの近傍に配された吸気口から吸気する外気を余熱することができ、この余熱された空気をファンにて吸気し、温風として送出口から収容槽内へ送出することができ、収容槽内の温度むらを低減できる。
【００２０】
また、本発明に係る食器乾燥機は、前記吸気口の近傍に、該吸気口に吸気される空気の温度を検出するセンサを配してあることを特徴とする。
【００２１】
この発明にあっては、ヒータの近傍に配された吸気口から吸気するとき、吸気口の近傍に配されたセンサにより吸気温度を検出することができるため、このセンサが検出した吸気温度に基づいて前記ヒータによる温度制御を行なうことが可能であり、収容槽内の温度むらを低減できる。
【００２２】
また、本発明に係る食器乾燥機は、前記ヒータは前記収容槽内の底部付近に取付けられており、前記送出口は前記ヒータの取付部近傍に配してあることを特徴とする。
【００２３】
この発明にあっては、収容槽におけるヒータの取付部は、ヒータの熱が伝導され、加熱されており、該取付部から放熱されているため、ヒータの取付部近傍に配された送出口からヒータの取付部に向けて送出することにより、再度ヒータにより加熱することができ、一様に温度の高い空気となるように放熱部と効率よく熱交換することができ、この熱交換された空気を収容槽内に供給することができ、収容槽内の温度むらを低減できる。
【００２４】
また、本発明に係る食器乾燥機は、通気孔を有し、前記ヒータを被覆するヒータカバーを備えており、前記送出口は前記ヒータカバーの内側に開口していることを特徴とする。
【００２５】
この発明にあっては、ファンにより送出口からヒータカバーの内側（ヒータ側）へ送出し、再度ヒータにより加熱することができるため、一様に温度の高い空気となるようにヒータと効率よく熱交換することができ、この熱交換された空気をヒータカバーの通気孔から収容槽に供給することができ、収容槽内の温度むらを低減できる。
【００２６】
また、本発明に係る食器乾燥機は、通気孔を有し、前記ヒータを被覆するヒータカバーを備えており、前記送出口は前記ヒータカバーの内側及び外側に開口していることを特徴とする。
【００２７】
この発明にあっては、ヒータにより加熱されるヒータカバーから放熱されるため、収容槽内におけるヒータカバー近傍の空気は、ヒータカバーから放熱される熱により余熱されるため、ヒータカバーの内側に送出された空気がヒータと十分な熱交換が行なわれていない場合でも、ヒータカバーの外側に送出された空気を、ヒータカバー近傍の余熱された空気と熱交換することができ、収容槽内の温度むらを低減できる。
【００２８】
また、本発明に係る食器乾燥機は、前記ファン及び前記送出口に連なる送出路を有しており、該送出路に、送出路の空気流を整流する整流リブを有することを特徴とする。
【００２９】
この発明にあっては、ファンにより発生する空気流を整流リブにより整流して、送出口から送出することができるため、例えばヒータに向けて送出する場合、ヒータに効率よく接触させることができ、ヒータとの熱交換が効率よく行なえる。
【００３０】
また、本発明に係る食器乾燥機は、前記送出口は複数であることを特徴とする。
【００３１】
この発明にあっては、複数の送出口から収容槽内へ送出することができるため、この送出口をヒータの近傍に離隔して配置することができ、ヒータとの熱交換を均一的に行なうことが可能である。
【００３２】
また、本発明に係る食器乾燥機は、前記ファンは前記収容槽の底側隅部の近傍に配してあることを特徴とする。
【００３３】
この発明にあっては、ファンの吸気方向と送出方向とが略９０度の位置関係に設定されているという構造上の特性を利用してファンを配することができるため、吸気口からファンまでの吸気路が比較的長い場合でも、送風損失の軽減が可能であり、ファンの運転効率を十分に生かした送出が可能であることから、食器の効率的な乾燥が可能となる。
【００３４】
また、本発明に係る食器乾燥機は、前記ファン及び前記吸気口に連なる吸気路と、前記ファン及び前記送出口に連なる送出路とを有しており、前記ファンは前記吸気路及び前記送出路の最下面より高い位置に配してあることを特徴とする。
【００３５】
この発明にあっては、吸気路又は送出路の最下面より高い位置にファンが配されているため、収容槽内の高湿度の空気が送出路及び吸気路に侵入し、この侵入空気が外気により冷やされた送出路及び吸気路の壁面で冷却され、結露する現象が起こり、結露水が滴下する場合においても、滴下した結露水がファンに浸入するのを低減できる。
【００３６】
また、本発明に係る食器乾燥機は、前記ファンは、送風経路の途上に設けられており、前記ファンを覆うケーシングは前記吸気路の一部を兼ねていることを特徴とする。
【００３７】
この発明にあっては、ファンを覆うケーシングが吸気路の一部を兼ねているため、部品点数を低減できる。
【００３８】
また、本発明に係る食器洗い乾燥機は、内部に水が噴射される収容槽内の底部に配され、該収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器洗い乾燥機において、前記吸気口は、前記ヒータの近傍に配されており、前記ファン及び前記送出口に連なる送出路と、該送出路の途中で前記収容槽内の底部に開口する貫通孔とを有することを特徴とする。
【００３９】
この発明にあっては、収容槽内に収容された食器を水の噴射により洗浄する場合、収容槽内の底部に落下する水の一部を貫通孔から送出路に流入させ、この流入した水を送出口から収容槽内へ還流させることが可能であるため、送出路に付着する汚物を、送出路に流入した水により洗い流すことが可能であり、送出路の汚れによる臭気を軽減することが可能である。つまり、余熱された空気が送出路を経て送出口から収容槽内へ送出される場合、送出路が汚れていると、この汚れによって発生する臭気が一段と強くなって収容槽内に送出され、さらに、収容槽から室内に洩れることになるが、本発明によれば送出路の汚れによる臭気を軽減することが可能である。また、噴射された水が収容槽内の底部に落下したとき、収容槽内の底部に配されたヒータにより前記底部の水を加熱することが可能であるため、洗い過程から乾燥過程へ移行する以前から収容槽におけるヒータの近傍を該ヒータにより加熱することが可能であり、この洗い過程時に吸気口近傍の外気を余熱することができ、収容槽内の温度むらをより一層低減することが可能である。
【００４０】
また、本発明に係る食器洗い乾燥機は、内部に水が噴射される収容槽内の底部に配され、該収容槽内の温度を上昇させるヒータと、該ヒータと離隔して配され、前記収容槽内に外気を送出するファンと、該ファンが前記収容槽の外部から吸気する吸気口と、前記ファンが収容槽内へ送出する送出口とを備えた食器洗い乾燥機において、前記吸気口は、前記ヒータの近傍に配されており、前記収容槽内に開口する給水路と、前記ファン及び前記送出口に連なる送出路と、該送出路の途中で前記給水路に開口する貫通孔とを有することを特徴とする。
【００４１】
この発明にあっては、収容槽内に収容された食器を収容槽内に供給される水の噴射により洗浄する場合、給水路の水の一部を貫通孔から送出路に流入させ、この流入した水を送出口から収容槽内へ排水させることが可能であるため、送出路に付着する汚物を、送出路に流入した水により洗い流すことが可能であり、送出路の汚れによる臭気を軽減することが可能である。また、噴射された水が収容槽内の底部に落下したとき、収容槽内の底部に配されたヒータにより前記底部の水を加熱することが可能であるため、洗い過程から乾燥過程へ移行する以前から収容槽におけるヒータの近傍を該ヒータにより加熱することが可能であり、この洗い過程時に吸気口近傍の外気を余熱することができ、収容槽内の温度むらをより一層低減することが可能である。
【発明の効果】
【００４２】
本発明によれば、ヒータの近傍に配された吸気口から吸気する外気を余熱することができ、この余熱された空気をファンにて吸気し、温風として送出口から収容槽内へ送出することができ、収容槽内の温度むらを低減できる。
【００４３】
また、本発明によれば、センサが検出した吸気温度に基づいてヒータによる温度制御を行なうことが可能であり、収容槽内の温度むらを低減できる。
【００４４】
また、本発明によれば、ヒータの取付部近傍に配された送出口からヒータの取付部に向けて送出することにより、再度ヒータにより加熱することができ、一様に温度の高い空気となるように放熱部と効率よく熱交換することができ、この熱交換された空気を収容槽内に供給することができ、収容槽内の温度むらを低減できる。
【００４５】
また、本発明によれば、送出口からヒータカバーの内側へ送出することにより、再度ヒータにより加熱することができ、一様に温度の高い空気となるようにヒータと効率よく熱交換することができ、この熱交換された空気をヒータカバーの通気孔から収容槽に供給することができ、収容槽内の温度むらを低減できる。
【００４６】
また、本発明によれば、ヒータカバーの内側に送出された空気がヒータと十分な熱交換が行なわれていない場合でも、ヒータカバーの外側に送出された空気を、ヒータカバー近傍の余熱された空気と熱交換することができ、収容槽内の温度むらを低減できる。
【００４７】
また、本発明によれば、ファンにより発生する空気流を整流リブにより整流して送出することができ、ヒータとの熱交換を効率よく行なうことが可能である。
【００４８】
また、本発明によれば、ヒータの近傍に複数の送出口を配することができ、ヒータとの熱交換を均一的に行なうことが可能である。
【００４９】
また、本発明によれば、吸気口からファンまでの吸気路が比較的長い場合でも、送風損失の軽減が可能であり、ファンの運転効率を十分に生かした送出が可能であることから、食器の効率的な乾燥が可能となる。
【００５０】
また、本発明によれば、吸気路の壁面で結露水が滴下する場合においても、滴下した結露水がファンに浸入するのを低減できる。
また、本発明によれば、ファンを覆うケーシングが吸気路の一部を兼ねているため、部品点数を低減できる。
【００５１】
また、本発明によれば、収容槽内に水を噴射して食器を洗う場合、収容槽内の底部の水の一部を貫通孔から送出路に流入させ、送出路に付着する汚物を洗い流すことが可能であり、送出路の汚れによる臭気を軽減することが可能である。また、洗い過程から乾燥過程へ移行する以前から収容槽におけるヒータの近傍を該ヒータにより加熱することが可能であり、この洗い過程時に吸気口近傍の外気を余熱することができ、収容槽内の温度むらをより一層低減することが可能である。
【００５２】
また、本発明によれば、収容槽内に給水路の水の一部を貫通孔から送出路に流入させ、送出路に付着する汚物を洗い流すことが可能であり、送出路の汚れによる臭気を軽減することが可能である。また、洗い過程から乾燥過程へ移行する以前から収容槽におけるヒータの近傍を該ヒータにより加熱することが可能であり、この洗い過程時に吸気口近傍の外気を余熱することができ、収容槽内の温度むらをより一層低減することが可能である。
【発明を実施するための最良の形態】
【００５３】
以下本発明をその実施の形態を示す図面に基づいて詳述する。
実施の形態１
図１は本発明に係る食器乾燥機の実施の形態１の構成を示す模式的縦断正面図、図２及び図３は食器乾燥機の実施の形態１の構成を示す模式的縦断側面図、図４は食器乾燥機の実施の形態１の構成を示す模式的平面図である。
【００５４】
図に示した食器乾燥機は、筐体１と、該筐体１内に配され、その前面に開口部２ａを有する収容槽２と、該収容槽２に収容され、食器Ａが載せられるあみ篭形状の食器受具３と、収容槽２内の底部に配され、収容槽２内の温度を上昇させるヒータ４と、収容槽２内に外気を送出するファン５と、食器受具３の下側に回転自在に配され、食器受具３に載せられた食器Ａに向けて水を噴射する回転可能な二つのノズル６と、該ノズル６に加圧水を供給するポンプ７と、ファン５用の電動モータ５ａの駆動回路及びポンプ７用の電動モータ７ａの駆動回路を制御する制御部８と、開口部２ａの上下を閉じ、上下方向へ回動自在に筐体１に枢支された扉体９とを備える食器洗い乾燥機である。
【００５５】
収容槽２の底部後方には、蛇口等の水源に接続される給水弁１０と、該給水弁１０に給水路１１ａを介して連通し、収容槽２内に開口する給水口１１と、電動モータ５ａにより駆動されるファン５とが設けられており、底部前方には給水口１１と対角する位置に配され、給水口１１から給水された水を貯水する貯水部１２と、該貯水部１２に吸込ダクトを介して連通し、貯水部１２内の水を吸込み、加圧するポンプ７と、給水口１１及び貯水部１２間の流水路に配されたヒータ４と、複数の通気孔を有し、ヒータ４の上部を被覆するヒータカバー１３とが設けられている。底壁２ｂのヒータ４が配された部分は凹所２ｃになっており、該凹所２ｃに送出口１４ａが開口し、凹所２ｃの上方開放部に、上下に貫通する通気口１３ａを有するヒータカバー１３が配されている。
【００５６】
収容槽２の底壁２ｂの下方には外部の空気を吸気口１５ａからファン５へ吸気する吸気路１５と、該吸気路１５及び収容槽２の底壁２ｂとの間に配された送出路１４とが設けられており、ヒータ４下方の底壁２ｂ外部に吸気口１５ａが配され、該吸気口１５ａから吸気した外気を底壁２ｂに沿ってファン５側へ案内するように構成されている。
【００５７】
送出路１４のファン５側は、ファン５から収容槽２の後壁に沿って上方へ延出され、上部で屈曲してファン５の近傍へ下がり、このファン５の近傍から底壁２ｂに沿ってヒータ４の近傍へ延出されている。
【００５８】
ファン５は吸気方向と送出方向とが略９０度の位置関係に設定されており、収容槽２の底側後方の隅部に、吸気方向が前方となり、送出方向が上方となるように配してある。また、ファン５は、該ファン５を覆うケーシング５ｂ内に収容されている。
ヒータ４は途中が屈曲する条体からなり、両端部が底壁２ｂの凹所２ｃに取付けられている。
また、扉体９の上部には収容槽２内の空気を排気する排気口９ａが設けられている。
【００５９】
以上のように構成された食器乾燥器は、食器洗い過程の後、乾燥過程となる。食器洗い過程では、蛇口等の水源の水が給水路１１ａを経て給水口１１から収容槽２内へ供給され、この収容槽２内の水がポンプ７によりノズル６へ供給され、ノズル６から食器に向けて噴射される。また、ヒータ４に通電され、収容槽２内の底部へ供給された水がヒータ４により加熱され、温水がノズル６から噴射される。
【００６０】
このように食器洗い過程においてヒータ４に通電されるため、吸気口１５ａ近傍の底壁２ｂはヒータ４により加熱されており、底壁２ｂが外部へ放熱する熱により外気を余熱することができる。従って、洗い過程の後、乾燥過程へ移行するとき、洗い過程で余熱された外気を吸気することができ、洗い過程から乾燥過程への移行時間を短縮でき、収容槽内の温度むらを短時間で低減することが可能となる。
【００６１】
乾燥過程ではヒータ４に通電され、収容槽２内の空気が加熱され、さらに、ファン５が駆動され、外気が吸気口１５ａから吸気路１５へ吸気され、送出路１４を経て送出口１４ａからヒータ４に向けて送出される。この場合、吸気口１５ａ近傍の底壁２ｂはヒータ４により加熱されており、底壁２ｂが外部へ放熱する熱により外気を余熱することができるため、この余熱された空気をファン５にて吸気し、温風として送出口１４ａからヒータカバー１３の内側（ヒータ側）のヒータ４に向けて送出することができ、再度ヒータ４により加熱することができ、一様に温度の高い空気となり、ヒータカバー１３の通気孔から収容槽２内に供給される。また、送出口１４ａからヒータカバー１３の内側へ送出する構成とすることにより、食器Ａの収容量にあまり影響されることなくヒータ４との熱交換が可能である。収容槽２内に供給された空気は食器Ａを乾燥させた後、扉体９の排気口９ａから外部へ排気される。
【００６２】
ファン５は吸気方向と送出方向とが略９０度の位置関係に設定されているという構造上の特性を利用して収容槽２の底側後方の隅部に、吸気方向が前方となり、送出方向が上方となるように配してあるため、吸気口１５ａからファン５までの吸気路１５が比較的長い場合でも、吸気損失を軽減することができ、ファン５の運転効率を十分に生かした送出を行なうことができ、食器Ａを効率的に乾燥することができる。
【００６３】
実施の形態２
図５は食器乾燥機の実施の形態２の構成を示す模式的縦断側面図である。実施の形態２では、吸気口１５ａの近傍における底壁２ｂに、吸気口１５ａに吸気される空気の温度を検出するセンサ１６を配したものである。
【００６４】
実施の形態２にあっては、吸気口１５ａに吸気される空気の温度を、吸気口１５ａの近傍に配されたセンサ１６により検出し、該センサ１６が検出した温度に基づいて制御部がヒータ４へ通電信号を出力し、ヒータ４による温度制御を行なう。このため、収容槽２内の温度むらを低減できる。
その他の構成及び作用は実施の形態１と同様であるため、同様の構成については同じ符号を付し、その詳細な説明及び作用効果の説明を省略する。
【００６５】
実施の形態３
図６及び図７は食器乾燥機の実施の形態３の構成を示す模式的縦断正面図である。実施の形態３では、送出路１４の送出口１４ａを、収容槽２におけるヒータ４の取付部近傍に配し、送出口１４ａから取付部４ａに向けて送出するように構成したものである。
【００６６】
実施の形態３にあっては、ヒータ４の熱が取付部４ａに伝導されており、該取付部４ａから底壁２ｂの外部へ放熱されているため、ヒータ４の取付部４ａ近傍に配された送出口１４ａからヒータ４の取付部４ａに向けて空気を送出することにより、再度ヒータ４により加熱することができ、一様に温度の高い空気となるように前記放熱部と効率よく熱交換することができ、この熱交換された空気を収容槽２内に供給することができ、収容槽２内の温度むらを低減できる。
その他の構成及び作用は実施の形態１と同様であるため、同様の構成については同じ符号を付し、その詳細な説明及び作用効果の説明を省略する。
【００６７】
実施の形態４
実施の形態４では、送出路１４の送出口１４ａを、ヒータカバー１３の近傍でヒータカバー１３の内側及び外側に配し、ヒータカバー１３の内側及び外側に送出するように構成したものである。
【００６８】
実施の形態４にあっては、ヒータ４によりヒータカバー１３が加熱され、該ヒータカバー１３から放熱されるため、収容槽２内におけるヒータカバー１３近傍の空気は、ヒータカバー１３から放熱される熱により余熱される。従って、ヒータカバー１３の内側に送出された空気がヒータ４と十分な熱交換が行なわれていない場合でも、ヒータカバー１３の外側に送出された空気を、ヒータカバー１３近傍の余熱された空気と熱交換することができ、収容槽２内の温度むらを低減でき、食器を冷やすことがなく、効率的な乾燥が可能となる。
その他の構成及び作用は実施の形態１と同様であるため、同様の構成については同じ符号を付し、その詳細な説明及び作用効果の説明を省略する。
【００６９】
実施の形態５
図８は食器乾燥機の実施の形態５の構成を示す模式的縦断側面図である。実施の形態５では、ファン５及び送出口１４ａに連なる送出路１４に、該送出路１４の空気流を整流する整流リブ１７を設けたものである。
【００７０】
実施の形態５にあっては、ファン５により発生する空気流を整流リブ１７により整流して、送出口１４ａから送出するため、例えばヒータ４に向けて送出する場合、ヒータ４に効率よく接触させることができ、ヒータ４との熱交換が効率よく行なえる。これにより食器Ａの効率的な乾燥が可能となる。
その他の構成及び作用は実施の形態１と同様であるため、同様の構成については同じ符号を付し、その詳細な説明及び作用効果の説明を省略する。
【００７１】
実施の形態６
図９は食器乾燥機の実施の形態６の構成を示す模式的縦断側面図である。実施の形態６では、送出路１４の送出口１４ａを複数とし、該送出口１４ａを離隔した複数の箇所に配することができるように構成したものである。
【００７２】
実施の形態６にあっては、複数の送出口１４ａから収容槽２内へ送出することができるため、ヒータ４との熱交換を均一的に行なうことができる。
その他の構成及び作用は実施の形態１と同様であるため、同様の構成については同じ符号を付し、その詳細な説明及び作用効果の説明を省略する。
【００７３】
実施の形態７
図１０は食器乾燥機の実施の形態７の構成を示す模式的縦断側面図である。実施の形態７では、ファン５及び吸気口１５ａに連なる吸気路１５又は送出路１４における最下面１８より高い位置にファン５を配したものである。
【００７４】
実施の形態７にあっては、吸気路１５の最下面１８より高い位置にファン５が配されているため、収容槽２内の高湿度の空気が送出路１４及び吸気路１５に侵入し、この侵入空気が外気により冷やされた送出路１４及び吸気路１５の壁面で冷却され、結露する現象が起こり、結露水が滴下する場合においても、滴下した結露水がファン５に浸入するのを低減できる。
その他の構成及び作用は実施の形態１と同様であるため、同様の構成については同じ符号を付し、その詳細な説明及び作用効果の説明を省略する。
【００７５】
実施の形態８
図１１は食器乾燥機の実施の形態８の構成を示す模式的縦断側面図である。実施の形態８では、ファン５を覆うケーシング５ｂが吸気路１５の一部を兼ねる構成としたものである。また、ファン５を駆動する電動モータ５ａの駆動回路を制御する制御部８の外面、詳しくは制御部８のケースが吸気路１５の一部を兼ねる構成になっている。
【００７６】
実施の形態８にあっては、ケーシング５ｂが吸気路１５の一部を兼ねているため、部品点数を低減できる。また、制御部８と収容槽２との間に空気が流れるため、制御部８が収容槽２の熱的影響を受けるのを軽減できる。
その他の構成及び作用は実施の形態１と同様であるため、同様の構成については同じ符号を付し、その詳細な説明及び作用効果の説明を省略する。
【００７７】
以上説明した食器乾燥機は、ファン５及び送出口１４ａに連なる送出路１４の途中に、収容槽２内に開口する貫通孔１９を設け（図５参照）、洗い過程時に収容槽２内の水の一部を貫通孔１９から送出路１４に流入させることができるように構成してもよい。
この実施の形態にあっては、洗い過程時に収容槽２内の水の一部を貫通孔１９から送出路１４に流入させ、この流入した水を送出口１４ａから収容槽２内へ還流させることができるため、送出路１４に付着する汚物を、送出路１４に流入した水により洗い流すことができ、送出路１４の汚れによる臭気を軽減できる。
【００７８】
また、以上説明した食器洗い乾燥機は、ファン５及び送出口１４ａに連なる送出路１４の途中に、前記給水路１１ａに開口する貫通孔２０を設け（図４参照）、収容槽２内への給水時に給水路１１ａの水の一部を貫通孔２０から送出路１４に流入させることができるように構成してもよい。
この実施の形態にあっては、給水路１１ａを経て給水口１１から収容槽２内へ水を給水するとき、給水路１１ａの水の一部を貫通孔２０から送出路１４に流入させ、この流入した水を送出口１４ａから収容槽２内へ排水することができるため、送出路１４に付着する汚物を、送出路１４に流入した水により洗い流すことができ、送出路１４の汚れによる臭気を軽減できる。
【００７９】
尚、以上説明した実施の形態２〜８の一つ以上は実施の形態１に適用してもよいし、また、実施の形態２〜８の二つ以上を組み合わせた構成としてもよい。
また、本発明に係る食器乾燥機は、食器洗い機能をなくした構成であり、食器洗い乾燥機は、食器洗い機能及び食器乾燥機能を備える構成である。
【図面の簡単な説明】
【００８０】
【図１】本発明に係る食器乾燥機の実施の形態１の構成を示す模式的縦断正面図である。
【図２】本発明に係る食器乾燥機の実施の形態１の構成を示す模式的縦断側面図である。
【図３】本発明に係る食器乾燥機の実施の形態１の構成を示す模式的縦断側面図である。
【図４】本発明に係る食器乾燥機の実施の形態１の構成を示す模式的平面図である。
【図５】本発明に係る食器乾燥機の実施の形態２の構成を示す模式的縦断側面図である。
【図６】本発明に係る食器乾燥機の実施の形態３の構成を示す模式的縦断正面図である。
【図７】本発明に係る食器乾燥機の実施の形態３の構成を示す模式的縦断正面図である。
【図８】本発明に係る食器乾燥機の実施の形態５の構成を示す模式的縦断側面図である。
【図９】本発明に係る食器乾燥機の実施の形態６の構成を示す模式的縦断側面図である。
【図１０】本発明に係る食器乾燥機の実施の形態７の構成を示す模式的縦断側面図である。
【図１１】本発明に係る食器乾燥機の実施の形態８の構成を示す模式的縦断側面図である。
【図１２】従来の食器乾燥機の構成を示す模式的縦断側面図である。
【符号の説明】
【００８１】
２    収容槽
４    ヒータ
４ａ  取付部
５    ファン
８    制御部
１４  送出路
１４ａ  送出口
１５  吸気路
１５ａ  吸気口
１３  ヒータカバー
１３ａ  通気孔
１６  センサ
１９  貫通孔
２０  貫通孔
【図１】
2006075440.tif 000003
【図２】
2006075440.tif 000004
【図３】
2006075440.tif 000005
【図４】
2006075440.tif 000006
【図５】
2006075440.tif 000007
【図６】
2006075440.tif 000008
【図７】
2006075440.tif 000009
【図８】
2006075440.tif 000010
【図９】
2006075440.tif 000011
【図１０】
2006075440.tif 000012
【図１１】
2006075440.tif 000013
【図１２】
2006075440.tif 000014